【手続補正書】
【提出日】平成21年6月17日(2009.6.17)
【手続補正１】
【補正対象書類名】特許請求の範囲
【補正対象項目名】全文
【補正方法】変更
【補正の内容】
【特許請求の範囲】
【請求項１】
アナログ直交ベースバンド信号に基づいて生成される送信希望波信号を増幅することにより発生する非線形歪み成分を補償することが可能な歪み補償装置において、
入力された前記アナログ直交ベースバンド信号の周波数帯域を制限する第１帯域制限部と、
前記第１帯域制限部を通過した前記アナログ直交ベースバンド信号に基づいて、前記非線形歪み成分に対応した歪み成分直交ベースバンド信号を生成する歪み成分直交ベースバンド信号生成部と、
前記非線形歪み成分の振幅と、前記歪み成分直交ベースバンド信号を増幅して得られる信号の振幅と、が一致するように、前記歪み成分直交ベースバンド信号の振幅を調整する振幅比調整部と、
前記非線形歪み成分と、前記歪み成分直交ベースバンド信号を増幅して得られる信号と、が打ち消されるように、前記歪み成分直交ベースバンド信号の位相を調整する位相差調整部と、
前記第１帯域制限部を通過した前記アナログ直交ベースバンド信号と、前記振幅比調整部及び前記位相差調整部を通過した前記歪み成分直交ベースバンド信号とを合成して、前記送信希望波信号を生成する歪み成分合成部と、
前記歪み成分合成部に対して前記歪み成分直交ベースバンド信号を入力するか否かを制御するための第１スイッチと、
を含むことを特徴とする、歪み補償装置。
【請求項２】
さらに、前記振幅比調整部により振幅が調整され、かつ、前記位相差調整部により位相が調整された前記歪み成分直交ベースバンド信号の周波数帯域を制限する第２帯域制限部を備えることを特徴とする、請求項１に記載の歪み補償装置。
【請求項３】
さらに、前記歪み成分合成部により生成された前記送信希望波の周波数帯域を制限する第３帯域制限部を備えることを特徴とする、請求項１に記載の歪み補償装置。
【請求項４】
さらに、前記歪み成分合成部に対して、前記アナログ直交ベースバンド信号を入力するか否かを制御するための第２スイッチを備えることを特徴とする、請求項１に記載の歪み補償装置。
【請求項５】
さらに、前記歪み成分合成部に入力される前記アナログ直交ベースバンド信号の周波数帯域を制限する第４帯域制限部を備え、
前記歪み補償装置は、
前記第４帯域制限部のオン・オフを切り替えることにより、前記第４帯域制限部を前記第１スイッチとして機能させることを特徴とする、請求項１に記載の歪み補償装置。
【請求項６】
前記第２帯域制限部は、
通過可能な前記歪み成分直交ベースバンド信号の周波数帯域を可変にすることを特徴とする、請求項２に記載の歪み補償装置。
【請求項７】
前記第３帯域制限部は、
通過可能な前記送信希望波信号の周波数帯域を可変にすることを特徴とする、請求項３に記載の歪み補償装置。
【請求項８】
前記第４帯域制限部は、
通過可能な前記アナログ直交ベースバンド信号の周波数帯域を可変にすることを特徴とする、請求項５に記載の歪み補償装置。
【請求項９】
アナログ直交ベースバンド信号に基づいて生成される送信希望波信号を増幅することにより発生する非線形歪み成分を補償することが可能な歪み補償装置において、
入力された前記アナログ直交ベースバンド信号の周波数帯域を制限する第１帯域制限部と、
前記第１帯域制限部を通過した前記アナログ直交ベースバンド信号に基づいて、前記非線形歪み成分に対応した歪み成分直交ベースバンド信号を生成する歪み成分直交ベースバンド信号生成部と、
前記非線形歪み成分の振幅と、前記歪み成分直交ベースバンド信号を増幅して得られる信号の振幅と、が一致するように、前記歪み成分直交ベースバンド信号の振幅を調整する振幅比調整部と、
前記非線形歪み成分と、前記歪み成分直交ベースバンド信号を増幅して得られる信号と、が打ち消されるように、前記歪み成分直交ベースバンド信号の位相を調整する位相差調整部と、
前記振幅比調整部により振幅比が調整され、かつ、前記位相差調整部により位相が調整された前記歪み成分直交ベースバンド信号の周波数帯域を制限する第２帯域制限部と、
前記第１帯域制限部を通過した前記アナログ直交ベースバンド信号と、前記振幅比調整部及び前記位相差調整部を通過した前記歪み成分直交ベースバンド信号とを合成して、前記送信希望波信号を生成する歪み成分合成部と、
を備え、
前記歪み補償装置は、
前記第２帯域制限部のオン・オフを切り替えることにより、前記歪み成分合成部に対して前記歪み成分直交ベースバンド信号を入力するか否かを制御することを特徴とする、歪み補償装置。
【請求項１０】
さらに、前記歪み成分合成部により生成された前記送信希望波の周波数帯域を制限する第３帯域制限部を備えることを特徴とする、請求項９に記載の歪み補償装置。
【請求項１１】
さらに、前記歪み成分合成部に対して、前記アナログ直交ベースバンド信号を入力するか否かを制御するためのスイッチを備えることを特徴とする、請求項９に記載の歪み補償装置。
【請求項１２】
さらに、前記歪み成分合成部に入力される前記アナログ直交ベースバンド信号の周波数帯域を制限する第４帯域制限部を備え、
前記歪み補償装置は、
前記第４帯域制限部のオン・オフを切り替えることにより、前記歪み成分合成部に対して前記アナログ直交ベースバンド信号を入力するか否かを制御することを特徴とする、請求項９に記載の歪み補償装置。
【請求項１３】
アナログ直交ベースバンド信号に基づいて生成される送信希望波信号を増幅することにより発生する非線形歪み成分を補償することが可能な無線通信装置において、
デジタル直交ベースバンド信号を生成するベースバンド信号処理部と、
前記デジタル直交ベースバンド信号をアナログ直交ベースバンド信号に変換するデジタル・アナログ変換部と、
入力された前記アナログ直交ベースバンド信号の周波数帯域を制限する第１帯域制限部と、
前記第１帯域制限部を通過した前記アナログ直交ベースバンド信号に基づいて、前記非線形歪み成分に対応した歪み成分直交ベースバンド信号を生成する歪み成分直交ベースバンド信号生成部と、
前記非線形歪み成分の振幅と、前記歪み成分直交ベースバンド信号を増幅して得られる信号の振幅と、が一致するように、前記歪み成分直交ベースバンド信号の振幅を調整する振幅比調整部と、
前記非線形歪み成分と、前記歪み成分直交ベースバンド信号を増幅して得られる信号と、が打ち消されるように、前記歪み成分直交ベースバンド信号の位相を調整する位相差調整部と、
前記第１帯域制限部を通過した前記アナログ直交ベースバンド信号と、前記振幅比調整部及び前記位相差調整部を通過した前記歪み成分直交ベースバンド信号とを合成して、前記送信希望波信号を生成する歪み成分合成部と、
前記歪み成分合成部に対して前記歪み成分直交ベースバンド信号を入力するか否かを制御するための第１スイッチと、
前記送信希望波信号を直交変調する直交変調部と、
前記直交変調された送信希望波信号を電力増幅する信号増幅部と、
前記電力増幅された送信希望波信号を送信する信号送信部と、
を備えることを特徴とする、無線通信装置。
【請求項１４】
アナログ直交ベースバンド信号に基づいて生成される送信希望波信号を増幅することにより発生する非線形歪み成分を補償することが可能な無線通信装置において、
デジタル直交ベースバンド信号を生成するベースバンド信号処理部と、
前記デジタル直交ベースバンド信号をアナログ直交ベースバンド信号に変換するデジタル・アナログ変換部と、
入力された前記アナログ直交ベースバンド信号の周波数帯域を制限する第１帯域制限部と、
前記第１帯域制限部を通過した前記アナログ直交ベースバンド信号に基づいて、前記非線形歪み成分に対応した歪み成分直交ベースバンド信号を生成する歪み成分直交ベースバンド信号生成部と、
前記非線形歪み成分の振幅と、前記歪み成分直交ベースバンド信号を増幅して得られる信号の振幅と、が一致するように、前記歪み成分直交ベースバンド信号の振幅を調整する振幅比調整部と、
前記非線形歪み成分と、前記歪み成分直交ベースバンド信号を増幅して得られる信号と、が打ち消されるように、前記歪み成分直交ベースバンド信号の位相を調整する位相差調整部と、
前記振幅比調整部により振幅比が調整され、かつ、前記位相差調整部により位相が調整された前記歪み成分直交ベースバンド信号の周波数帯域を制限する第２帯域制限部と、
前記第１帯域制限部を通過した前記アナログ直交ベースバンド信号と、前記振幅比調整部及び前記位相差調整部を通過した前記歪み成分直交ベースバンド信号とを合成して、前記送信希望波信号を生成する歪み成分合成部と、
前記送信希望波信号を直交変調する直交変調部と、
前記直交変調された送信希望波信号を電力増幅する信号増幅部と、
前記電力増幅された送信希望波信号を送信する信号送信部と、
を備え、
前記無線通信装置は、
前記第２帯域制限部のオン・オフを切り替えることにより、前記歪み成分合成部に対して前記歪み成分直交ベースバンド信号を入力するか否かを制御することを特徴とする、無線通信装置。